(57)【要約】【課題】  紐靴を容易に固定しなおかつ個体差に応じて重心を調整できるような靴紐の固定具を提供する。【解決手段】  長手軸方向に紐通し穴が左右対称に複数設けられた紐靴に着脱自在に係止する紐靴の止め具は、つま先側の第一列の左右の孔に固定する固定手段１０５を両端に有する弾性体から構成された最初の固定部１０１と、かかと側の終端列の左右の孔に固定する固定手段１０５を両端に有する弾性体から構成された最後の固定部１０２と、互いに交差して最初の固定部１０１から最後の固定部１０２まで延長された二本のゴム紐１０３、１０４と、前記ゴム紐上の左右の紐通し穴に相当する部分に形成され、前記紐通し穴に固定するための固定手段１０５と、から形成され、さらに靴２に対して長さ方向、幅方向または両方向に前記ゴム紐の弾性力を調整する弾性力調整手段１０６を有している。【選択図】      図１
2010017327.tif 000002
【特許請求の範囲】
【請求項１】
長手軸方向に紐通し穴が左右対称に複数設けられた紐靴に着脱自在に係止する紐靴の止め具であって、
つま先側の第一列の左右の孔に固定する固定手段を両端に有する弾性体から構成された最初の固定部と、
かかと側の終端列の左右の孔に固定する固定手段を両端に有する弾性体から構成された最後の固定部と、
前記最初の固定部の両端部から次の左右の紐通し穴で折り返して互いに交差して前記最後の固定部まで延長された二本のゴム紐と、
前記ゴム紐上の左右の紐通し穴に相当する部分に形成され、前記紐通し穴に固定するための固定手段と、
から形成され、
前記紐靴の止め具は、さらに靴に対して長さ方向、幅方向または両方向に前記ゴム紐の弾性力を調整する弾性力調整手段を有していることを特徴とする紐靴の止め具。
【請求項２】
前記最初の固定部と前記最後の固定部は、各々幅方向に複数の係合部を有しており、前記調整手段は、前記最初の固定部と前記最後の固定部の係合部に係合するための係合部を有する帯状物から構成されており、前記水平方向への係合箇所により幅方向の弾性力を調整することを特徴とする請求項１に記載の紐靴の止め具
【請求項３】
前記最初の固定部と前記最後の固定部は、各々幅方向に１または複数の係合部を有しており、前記調整手段は、前記調整手段は、前記最初の固定部と前記最後の固定部の係合部に係合するための係合部を有する帯状物から構成されており、前記帯状物は前記最初の固定部、前記最後の固定部または両方の固定部に係合するための複数の係合部を有しており、
前記帯状部の係合部の係合箇所を変化させることにより長さ方向の弾性力を調整することを特徴とする請求項１または請求項２に記載の紐靴の止め具。
【請求項４】
前記二本のゴム紐は、各々少なくとも一部が弾性力の異なるゴム紐から構成されていることを特徴とする請求項１から請求項３のいずれか１項に記載の紐靴の止め具。
【請求項５】
前記固定部は、フックまたは係止鋲から構成されていることを特徴とする請求項１から請求項４のいずれか１項に記載の紐靴の止め具。
【請求項６】
前記固定部は、前記長さ方向に対して左右方向で連結部材により連結されていることを特徴とする請求項１から請求項５のいずれか１項に記載の紐靴の止め具。
【請求項７】
前記調整部材は、前記ゴム紐に固定されていることを特徴とする請求項２から請求項６のいずれか１項に記載の紐靴の止め具。
【請求項８】
請求項１からは請求項７のいずれか１項に記載の紐靴の止め具を備えた紐靴。
【発明の詳細な説明】
【技術分野】
【０００１】
本発明は、紐靴の止め具および紐靴の止め具を備えた紐靴に関する。より詳しく述べると、靴紐にワンタッチで装着係止できなおかつ長さ方向、幅方向または両方向の締具合を調整可能な紐靴の止め具および前記紐靴の止め具を備えた紐靴に関する。
【背景技術】
【０００２】
一般に、紐締めタイプの靴は、使用者の足に保持するために紐の両端部を蝶結びして着用される。歩行中に蝶結びが緩み、その結果として靴が所望のようにピッタリ合わなくなり、更に悪い場合には、蝶結びが完全に解けて紐の末端をバタバタさせ、つまずいたり、転倒したりすることもある。また、片手に何らかの障害を有する人々にとって、靴紐を結ぶ作業の困難さは深刻である。
【０００３】
靴紐を両手で結ぶという作業は、ある程度の器用さを要求され、時間がかかり、煩わしいという経験を多くの人が持っている。また、紐は結ぶことを前提にしているので、結んだ後に紐が余ってしまうことがあり、この余った紐は邪魔になり、踏んでしまう危険がある上、見た目が悪くなる場合が多い。
【０００４】
そのため、特許文献１には、ロック装置に設けた２列の整列歯対からなる保持部分に弾性編み紐１本を嵌合させてロックする装置が記載されている。この装置は２本の紐を装置の紐入口から通し、１本１本別々に固定するものであり、非常に手間がかかるという課題を有している。
【０００５】
また、特許文献２には、断面Ｖ字形の溝であって、向い合った溝内面に多数の山形条の形成された紐挟着溝がＶ字開口を側方として形成されている靴紐止め具で靴紐を固定することが記載されている。この靴紐止め具は、靴胛部に設けられた紐孔の終端部近くの両側方に縫着して使用するため、２本の紐を１本１本別々に靴の両側方に固定している。
【０００６】
また、靴は、身体のバランスを保持するために重要な要素を持っており、一般的に個体差に応じて重心が内側(親指側)にかかるユーザ、あるいは重心が外側（小指側）にかかるユーザ等があり、ひどい場合には外反母指や内反小指に発展する場合がある。
【０００７】
このように靴は、歩行時などの重心のバランスを個体差に応じて異なるが、幅方向のいずれかの方向に傾けるくせがあるのが一般的である。
【０００８】
【特許文献１】特表平５−５０１９８０号公報
【特許文献２】実開平７−３３１０５号公報
【発明の開示】
【発明が解決しようとする課題】
【０００９】
そのため、紐靴を容易に固定しなおかつ個体差に応じて重心を調整できるような紐靴の止め具の開発が望まれている。
本発明の課題は、紐靴を容易に固定しなおかつ個体差に応じて重心を調整できるような紐靴の止め具を提供することである。
また、本発明の別の課題は、紐靴を容易に固定しなおかつ個体差に応じて重心を調整できるような紐靴の止め具を有する紐靴を提供することである。
【課題を解決するための手段】
【００１０】
上記課題を解決する本発明の第一実施態様に係る発明は、長手軸方向に紐通し穴が左右対称に複数設けられた紐靴に着脱自在に係止する紐靴の止め具に関する。
本発明の第一実施形態に係る紐靴の止め具は、つま先側の第一列の左右の孔に固定する固定手段を両端に有する弾性体から構成された最初の固定部と、かかと側の終端列の左右の孔に固定する固定手段を両端に有する弾性体から構成された最後の固定部と、前記最初の固定部の両端部から次の左右の紐通し穴で折り返して互いに交差して前記最後の固定部まで延長された二本のゴム紐と、前記ゴム紐上の左右の紐通し穴に相当する部分に形成され、前記紐通し穴に固定するための固定手段と、から形成されており、さらに靴に対して長さ方向、幅方向または両方向に前記ゴム紐の弾性力を調整する弾性力調整手段を有している。
【００１１】
このように構成された本発明の第一実施形態に係る紐靴の止め具は、紐通し穴に固形手段を固定することにより容易に装着することが可能であるとともに、長さ方向（すなわち、つま先側からかかと側の方向）および幅方向の少なくとも一方（好ましくは両方向）の弾性力を調整可能に構成されているので、両方向の締め具合を自在に調整可能である。
【００１２】
本発明の第一実施形態に係る靴紐の止め具において、前記最初の固定部と前記最後の固定部は、各々幅方向に複数の係合部を有しており、前記調整手段は、前記調整手段は、前記最初の固定部と前記最後の固定部の係合部に係合するための係合部を有する帯状物から構成されており、前記水平方向への係合箇所により幅方向の弾性力を調整することが好ましい。
【００１３】
また、本発明の第一実施形態に係る靴紐の止め具において、前記最初の固定部と前記最後の固定部は、各々幅方向に１または複数の係合部を有しており、前記調整手段は、前記調整手段は、前記最初の固定部と前記最後の固定部の係合部に係合するための係合部を有する帯状物から構成されており、前記帯状物は前記最初の固定部、前記最後の固定部または両方の固定部に係合するための複数の係合部を有しており、前記帯状部の係合部の係合箇所を変化させることにより長さ方向の弾性力を調整することが好ましい。
【００１４】
さらに本発明の第一実施形態に係る靴紐の止め具において、前記二本のゴム紐は、各々少なくとも一部が弾性力の異なるゴム紐から構成することができる。
【００１５】
また、本発明の第一実施形態に係る靴紐の止め具において、前記固定部は、フックまたは係止鋲から構成することができる。
【００１６】
さらにまた、本発明の第一実施形態に係る靴紐固定具において、前記紐靴の左右に設けられた紐通し穴に対応する部分の固定部を、連結部材により連結することもできる。
【００１７】
また、上記課題を解決する本発明の第二実施態様に係る発明は、第一実施形態に係る紐靴の止め具を備えた紐靴に関する。
【００１８】
このように構成された紐靴は、紐通し穴に固形手段を固定することにより容易に装着することが可能であるとともに、長さ方向（すなわち、つま先側からかかと側の方向）および幅方向の少なくとも一方（好ましくは両方向）の弾性力を調整可能に構成されているので、両方向の締め具合を自在に調整可能である。
【発明の効果】
【００１９】
このように本発明の靴紐係止具および本発明の靴紐の止め具を備えた紐靴は、紐通し穴に固形手段を固定することにより容易に装着することが可能であるとともに、長さ方向（すなわち、つま先側からかかと側の方向）および幅方向の少なくとも一方（好ましくは両方向）の弾性力を調整可能に構成されているので、両方向の締め具合を自在に調整可能である。
【発明を実施するための最良の形態】
【００２０】
以下、本発明の実施の形態を添付図面に基づいて説明する。
まず、図１から図３に基づいて本発明の第一実施形態に係る紐靴の止め具を説明する。
図１は、本発明の第１実施形態に係る紐靴の止め具を説明するための図面であり、図２は、図２（ａ）、（ｂ）、（ｃ）は図１に示す紐靴の止め具の固定部の構成の一例を示す図面であり、図３（ａ）、（ｂ）、（ｃ）は図１に示す紐靴の止め具の調整手段の一例を示す図面である。
【００２１】
図１に示す図面は、紐靴の右足に装着する紐靴の止め具を説明する図面である。なお、図１に示す実施形態では、左右各々４つの紐通し穴を有する紐靴を係止するための紐靴の止め具の例を示すが本発明は、紐通し穴の数に限定されるものではない。
【００２２】
図１に示す通り、紐靴の止め具１は、紐靴のつま先側の左右の紐通し穴２０１を固定するための最初の固定部１０１と、紐靴のかかと側の左右の紐通し穴２０１を固定するための最後の固形部１０２と、最初の固定部１０１の両端部から次の左右の紐通し穴２０１で折り返して互いに交差して最後の固定部１０２まで延長された二本のゴム紐１０３、１０４とから主として構成される。
【００２３】
本発明における最初の固定部１０１および最後の固形部１０２は、図２（ａ）に示す通りゴム等の弾性力を有する材質で構成されており、各々後述する調整手段を固定するための係止部１０１ａおよび１０２ａを有している。さらに、最初の固形部１０１および最後の固形部１０２は、図２（ｂ）または図２（ｃ）に示す通り、固定手段１０５を有している。
【００２４】
また、本発明における最初の固形部１０１および／または最後の固形部１０２は、所望に応じて図示しない幅方向の弾性力を調整する調整手段を有していてもよい。このような調整手段は、ベルト式の調整手段など従来公知の調整手段であることができる。
【００２５】
なお、固定手段１０５は、紐靴２の紐通し穴２０１に挿入して固定するための手段であり、図２（ｂ）に示す通り、フック式の固定手段としたり、図２（ｃ）に示す通り、止め鋲式の固定手段としたりすることができる。本発明においては、着脱が容易である点から図２（ｂ）に示すような、フック式の固定手段であることが好ましい。
【００２６】
同様にして、二本のゴム紐１０３、１０４は、各左右の紐通し穴２０１に相当する箇所に最初の固形部１０１および最後の固形部１０２と同様に図２（ｂ）または図２（ｃ）に示すような固定手段１０５を有している。このようなゴム紐１０３、１０４の所定箇所に設けられた固定手段１０５は、最初の固形部１０１および最後の固形部１０２の固定手段１０５と同一な形式であっても、あるいは異なる形式であってもよい。
【００２７】
このようにして、本発明の紐靴の止め具１の各固定手段１０５を各左右の紐通し穴２０１に相当する箇所に挿入して固定することによって、図１に示す通り、紐靴２に固定されて靴紐と同様な作用を示す。すなわち、各固定手段１０５を各左右の紐通し穴２０１に相当する箇所に挿入して固定するという簡単な操作だけで紐靴を簡単に固定することが可能となる。
【００２８】
しかも、本発明の紐靴の止め具１では、最初の固形部１０１、最後の固形部１０２、二本のゴム紐１０３、１０４は全て弾性体から構成されているので、適度の弾性力をもって紐靴２を固定することが可能である。
【００２９】
本発明の紐靴の止め具１は、さらにこのようにして装着固定した靴紐の止め具１の弾性力を調整するための調整手段１０６を有している。
【００３０】
図３に示す通り、調整手段１０６は、本発明の紐靴の止め具１の弾性力を調整するための帯状の調整手段であり、ゴム等の弾性部材あるいはプラスチック、布、プラスチック等の非弾性部材から構成することができる。
【００３１】
図３（ａ）に示す調整手段１０６は、係止部１０１ａおよび１０２ａと係止するための係止部１０６ａ（最初の固形部１０１の係止部１０１ａと係止）および係止部１０６ｂ（最初の固形部１０２の係止部１０２ａと係止）とを各々１ずつ有しており、これらの係止部１０６ａおよび１０６ｂにより各々最初の固形部１０１および最後の固形部１０２を係止する。
【００３２】
また、図３（ｂ）に示す調整手段１０６は、係止部１０１ａを係止するための１つの係止部１０６ａ（最初の固形部１０１の係止部１０１ａと係止）と係止部１０２ｂを係止するための複数の係止部１０６ｂ（最初の固形部１０２の係止部１０２ａと係止）とを有しており、これらの係止部１０６ａおよび１０６ｂにより各々最初の固形部１０１および最後の固形部１０２を係止する。
【００３３】
そして、図３（ｃ）に示す調整手段１０６は係止部１０１ａおよび１０２ａと係止するための係止部１０６ａ（最初の固形部１０１の係止部１０１ａと係止）および係止部１０６ｂ（最初の固形部１０２の係止部１０２ａと係止）とを各々複数有しており、これらの係止部１０６ａおよび１０６ｂにより各々最初の固形部１０１および最後の固形部１０２を係止する。
【００３４】
なお、図３（ｂ）および図３（ｃ）に示す調整手段は、一方の側に複数の係止部１０６ａおよび１０６ｂを有しているので、これらの複数の係止部１０６ａおよび１０６ｂを選択することによって、長さ方向の弾性力を調整することが可能となる。
【００３５】
図１および図２（ａ）に示すように最初の固形部１０１および最後の固形部１０２に複数の係止部１０１ａ、１０２ａを有する場合、調整手段１０６の係止部１０６ａおよび１０６ｂの係止位置を変化させることによって水平方向の弾性力を適宜変化させることが可能となる。なお、このような調整手段１０６は、ゴム紐１０３および１０４、好ましくはゴム紐１０３および１０４の交点で固定されることができる。このようにゴム紐１０３、１０４に固定することによって本発明の紐靴の止め具１は一体成形することが可能となる。
【００３６】
このように本発明の紐靴の止め具は、水平方向の弾性力を調整することが可能となるので、足に負荷される力を親指側あるいは小指側に調整することが可能となる。例えば、親指側の弾性力を強くする場合には小指側の係止部１０１ａ、１０２ｂに調整手段の係止部１０６ａおよび１０６ｂを係止させることにより達成できる。
【００３７】
逆に子指側の弾性力を強くする場合には親指側の係止部１０１ａ、１０２ｂに調整手段の係止部１０６ａおよび１０６ｂを係止させることにより達成できる。
【００３８】
このような本発明の紐靴の止め具１は、図１に示す通り靴２の紐通し穴２０１に、例えば最初の固形部１０１から順次最後の固形部１０２に固定していくことによって装着可能であり、逆の操作を行うことにより外すことが可能となる。
【００３９】
次に図４に基づいて本発明の第２実施形態に係る紐靴の止め具１を説明する。図４は、本発明の第２実施形態に係る紐靴の止め具を説明するための図面である。
図４に示す実施形態では、図１に示す実施形態において、ゴム紐１０３および１０４の弾性力を変化させる以外は図１に示す実施形態と同様であるので、同一部材には同一の符号を附し、その詳細な説明は省略する。
【００４０】
図４に示す実施形態では、ゴム紐１０３およびゴム紐１０４の弾性力を変化させている。すなわち、親指側に係るゴム紐の弾性力を強くし（図中太線で示す）、一方小指側にかかるゴム紐の弾性力を弱くした紐靴の止め具１に関する。
【００４１】
このようにゴム紐の弾性力を親指側に係るゴム紐の弾性力を強くし（図中太線で示す）、一方小指側にかかるゴム紐の弾性力を弱くすることによって、親指側がきつく小指側がゆるく締められた状態（内側）で紐靴の止め具１を紐靴に固定することが可能となる。
【００４２】
通常、本発明の紐靴の止め具１は、左右両側で一組であるので左足側は逆の構成となる。また、子指側がきつく親指側がゆるく締められた状態(外側)で紐靴の止め具１を紐靴に固定するためには逆の構成にすればよい。
【００４３】
さらに、紐靴の止め具１を長さ方向（上下）対称の構成にすることによって、すなわち、最初の固形部１０１および最後の固形部１０２を逆にすることによって、一組の紐靴の止め具１で親指側がきつく小指側がゆるく締められた状態（内側）と子指側がきつく親指側がゆるく締められた状態(外側)との両側の状態に対応することが可能となる。
【００４４】
以上、本発明の実施の形態を説明したが、本発明はこれらの実施形態に限定されるものではない。例えば、最後の固形部１０２に結び目を模す部材を設けることも本発明の範囲内である。
【００４５】
さらに、本発明の紐靴の止め具を備えた靴紐も本発明の範囲内である。
【図面の簡単な説明】
【００４６】
【図１】本発明の第１実施形態に係る紐靴の止め具を説明するための図面である。
【図２】（ａ）、（ｂ）、（ｃ）は図１に示す紐靴の止め具の固定部の構成の一例を示す図面である。
【図３】（ａ）、（ｂ）、（ｃ）は図１に示す紐靴の止め具の調整手段の一例を示す図面である。
【図４】本発明の第２実施形態に係る紐靴の止め具を説明するための図面である。
【符号の説明】
【００４７】
１      紐靴の止め具
２      紐靴
１０１  最初の固定具
１０２  最後の固定具
１０３、１０４  ゴム紐
１０５  固定手段
１０６  調整手段
１０１ａ、１０２ａ、１０６ａ、１０６ｂ  係止部
２０１  紐通し穴
【図１】
2010017327.tif 000003
【図２】
2010017327.tif 000004
【図３】
2010017327.tif 000005
【図４】
2010017327.tif 000006